(57)【特許請求の範囲】
【請求項１】
内部に異なった２種類の金属電極板を有し、全体がほぼ直方体で上面に正負のターミナル電極が露出し、当該正負のターミナル電極を電気的に接続する電極プレートにて集合されてバッテリを構成するバッテリセルにおいて、
前記ターミナル電極が露出する上面に、前記バッテリセルを含んだ電気回路中に設けられる電装部品を取り付けるためのタッピングボスを具備し、かつ、当該タッピングボスは、集合されたバッテリセルの複数にまたがるように配置された電装部品を、他のバッテリセルのタッピングボスとともに着脱可能に取り付け得るように、バッテリセルに配置されていることを特徴とするバッテリセル。
【請求項２】
互いに平行な一方の各側面の、他のバッテリセルと重ね合わせた時に互いに対向する位置に凸状リブを具備し、
他のバッテリセルと重ね合わされたときには、各々の凸状リブを隔壁とする空気通路が形成されることを特徴とする請求項１記載のバッテリセル。
【請求項３】
互いに平行な他方の各側面の、他のバッテリセルと重ね合わせた時に互いに対向する位置に突起を具備したことを特徴とする請求項１または請求項２記載のバッテリセル。
【請求項４】
前記複数のタッピングボスは、バッテリセル上面の縦軸および横軸に対して線対称に配置されたことを特徴とする請求項１ないし請求項３のいずれかに記載のバッテリセル。
【請求項５】
前記互いに平行な一方の各側面の、他のバッテリセルと重ね合わせた時に互いに対向する位置には、相互に係合可能な一方および他方の係合手段がそれぞれ形成されたことを特徴とする請求項１ないし請求項４のいずれかに記載のバッテリセル。
【請求項６】
前記係合手段の一方は凸状体であり、他方は前記凸状体と係合される凹状体であることを特徴とする請求項５記載のバッテリセル。
【請求項７】
前記係合手段の一方はあり溝であり、他方は前記あり溝と係合されるほぞであることを特徴とする請求項５記載のバッテリセル。
【請求項８】
前記一方の各側面に形成された凸状リブは、上面から下面に向かって伸びた複数のライン状突起であることを特徴とする請求項２ないし請求項７のいずれかに記載のバッテリセル。
【請求項９】
前記一方の各側面に形成された凸状リブは、規則的に配置された多数の筒状突起であることを特徴とする請求項２ないし請求項７のいずれかに記載のバッテリセル。
【請求項１０】
前記一方の各側面に形成された凸状リブは、一方の側面から他方の側面に向かって持って伸びた複数のライン状突起であることを特徴とする請求項２ないし請求項７のいずれかに記載のバッテリセル。
【請求項１１】
前記一方の各側面に形成された凸状リブは、上面から下面に向かって予定の角度を持って伸びた複数のライン状突起であることを特徴とする請求項２ないし請求項７のいずれかに記載のバッテリセル。
【請求項１２】
前記金属電極板の略中央部には開口が形成され、前記互いに平行な一方の各側面は、前記開口を貫通するように挿通されたネジで共締めされたことを特徴とする請求項１ないし請求項１１のいずれかに記載のバッテリセル。
【請求項１３】
前記請求項１ないし請求項１２のいずれかに記載のバッテリセルを、ターミナル電極の露出する上面が同一面に配列されるように縦軸および横に複数個づつ組み合わせ、これらを電気的に直列接続して構成される電動車両用バッテリであって、
１つのバッテリセルおよびこれに隣接するバッテリセルに形成された凸状リブ同士が対向するように縦方向に重ね合わされた複数のバッテリセルを固定する第１の連結板と、
前記縦方向に重ね合わされた複数のバッテリセルを横方向に重ね合わさせてこれらを固定する第２の連結板と、
隣接するバッテリセルのターミナル電極同士を接続する電極プレートと、
前記電極プレートを覆う繭型絶縁カバーと、
複数のバッテリセルに跨がるように配置され、各バッテリセルのタッピングボスとネジ止されるベースプレートと、
前記ベースプレート上に固定され、前記直列接続された複数のセルの最終端の陽極および陰極に接続された引き出し電極を有するコネクタとを具備したことを特徴とする電動車両用バッテリ。
【請求項１４】
前記コネクタは、シール部材を介してベースプレート上に固定されたことを特徴とする請求項１３記載の電動車両用バッテリ。
【発明の詳細な説明】
【０００１】
【産業上の利用分野】
本発明は、バッテリセルおよびこれを組み合せた電動車両用バッテリに係り、特に、保守や取扱を容易にしたバッテリセルおよびこれを組み合せた電動車両用バッテリに関するものである。
【０００２】
【従来の技術】
電動車両のエネルギ源として、化学的作用により再充電を行い、繰り返し電源として利用することのできる湿式二次電池が用いられている。このような二次電池には、例えば陽極としてニッケル（Ｎｉ）を用い、陰極として亜鉛（Ｚｎ）を用いたニッケル−亜鉛電池がある。この電池の通常の反応を化１に示す。
【０００３】
【化１】
0003776134.tif 000002
また、充電末期においては、化２のような反応となる。
【０００４】
【化２】
0003776134.tif 000003
この充電末期にニッケル極より発生する酸素ガスは、極間電位の上昇に伴うものであり、このようにニッケル極に流れる電気量が酸素ガス発生に費やされた分だけ、充電電気量が減少する。一方、ニッケル極で発生した酸素ガスを亜鉛極が吸収しない場合には、亜鉛極は充電電気量が流れた分だけ、充電を受け入れるためにニッケル極より過充電となる。これにより亜鉛極活物質が消費され、当該湿式二次電池が短寿命となる。
【０００５】
このような不具合を解消するためには、当該湿式二次電池を密閉式として、ニッケル極で発生した酸素ガスを亜鉛極で吸収させれば良い。このような構成により、過充電によってできた充電活物質が放電活物質に変換され、そして、ニッケル、亜鉛両極での充電量が同一値にバランスし、これにより高寿命化を図ることができる。
【０００６】
しかし、このような構成でも、亜鉛極で発生する析出物が成長してニッケル極にまで達すると、セル内短絡を生じ、当該湿式二次電池がその機能を果たすことができなくなる。
【０００７】
したがって、このようなセル内短絡を防止するために、イオンは透過しながらも亜鉛析出物質の透過は防ぐような物理的強度を有し、かつガス透過性には乏しい、親水性イオン透過膜により形成されたセパレータを、ニッケル極および亜鉛極間に配置している。
【０００８】
ところで、電動車両の走行距離はバッテリ容量に依存するため、電動車両用としては大容量のバッテリが用いられる。ところが、バッテリが大型化して車両重量が増すと結果として走行距離が減るため、電動車両用のバッテリには、小型で大容量が得られる高価なバッテリが用いられている。したがって、１つのセパレータに不具合が生じ、バッテリが１セルでも使用不能になると、使用者は経済的に大きな負担を強いられるばかりか、バッテリ交換にも大きな労力が要求される。という問題があって。
【０００９】
このような点に鑑み、電動車両用のバッテリでは、複数の小型バッテリ（バッテリセル）を電気的に直列接続して構成される、いわゆる組みバッテリが利用される傾向にある。このような組みバッテリを用いれば、１セルのみ使用不能の場合はそのバッテリセルのみを入れ替えれば良いので、経済的な負担や保守に要する労力を最小限に抑えることができる。
【００１０】
【発明が解決しようとする課題】
ところが、従来の電動車両用の組みバッテリでは、保守性に関する認識が十分ではなく、組みバッテリを構成する一部のバッテリセルを入れ替える場合にも手間がかかってしまうという問題があった。
【００１１】
本発明は、前述の問題点を解決するためになされたものであり、その目的は、保守や取扱の容易なバッテリセルおよびこれを組み合せた車両用バッテリを提供することにある。
【００１２】
【課題を解決するための手段】
上記した目的を達成するために、本発明では、内部に異なった２種類の金属電極板を有し、全体がほぼ直方体であって上面にターミナル電極が露出したバッテリセルにおいて、ターミナル電極が露出する上面に配置された複数のタッピングボスと、互いに平行な一方の各側面の、他のバッテリセルと重ね合わせた時に互いに対向する位置に形成された凸状リブと、互いに平行な他方の各側面の、他のバッテリセルと重ね合わせた時に互いに対向する位置に形成された突起とを具備した。
【００１３】
さらに、前記したバッテリセルを、ターミナル電極の露出する上面が同一面に配列されるように縦横に複数個づつ組み合わせ、これらを電気的に直列接続して構成される電動車両用バッテリにおいて、１つのバッテリセルおよびこれに隣接するバッテリセルに形成された凸状リブ同士が対向するように縦方向に重ね合わされた複数のバッテリセルの、それぞれの他方の各側面の各突起に係合されてこれらを固定する第１の連結板と、前記縦方向に重ね合わされた複数のバッテリセルを横方向に重ね合わさせてこれらを固定する第２の連結板と、隣接するバッテリセルのターミナル電極同士を接続する電極プレートと、前記電極プレートを覆う繭型絶縁カバーと、複数のバッテリセルに跨がるように配置され、各バッテリセルのタッピングボスとネジ止されるベースプレートと、前記ベースプレート上に固定され、前記直列接続された複数のセルの最終端の陽極および陰極に接続された引き出し電極を有するコネクタとを具備した。
【００１４】
【作用】
上記した構成によれば、複数のバッテリセルを組み合わせて構成される電動車両用バッテリにおいて、一部のバッテリセルが破損した場合には、当該バッテリセルを容易に交換できるようになるので、保守や取扱が容易になり、経済的な損失を最小限に抑えることができるようになる。
【００１５】
【実施例】
以下に図面を参照して本発明を詳細に説明する。
【００１６】
初めに、本発明のバッテリを電動式自動二輪車に適用した例を説明する。図１７は本発明が適用される電動式自動二輪車の一例の側面図である。同図において、当該電動式自動二輪車の車体フレームは、前部フレーム１、中央フレーム２および後部フレーム３より構成され、その外側はレッグシールド４、ステップフロア５、後部カバー６およびアンダーカバー７より構成される樹脂製のボディによって覆われている。
【００１７】
前部フレーム１に取り付けられたヘッドパイプ１１は、その上端に操向ハンドル１２を備えると共に、その下端にフロントクッション１３を介して前輪１５を軸架したフロントフォーク１４が枢支されている。中央フレーム２の後部には、後端に後輪１６を軸架したスイング式のパワーユニット１７の前端がピボット１７Ａで上下揺動自在に枢支され、そのパワーユニット１７の後部上面と後部フレーム３とは、リヤクッション１８を介して連結されている。
【００１８】
パワーユニット１７とシート１９との間には、ヘルメット等を収容するための物入れ２０が設けられている。この物入れ２０は、当該電動式自動二輪車の駆動モータより発生される磁気の影響を受けないように、導電性樹脂等の磁気シールド材で形成されている。
【００１９】
前記ステップフロア５の下方には、パワーユニット１７内に配置された駆動モータ（図示せず）に電力を供給するバッテリ装置２１が配置されている。このバッテリ装置２１は、その内部に複数のバッテリセル（湿式二次電池）を横向きに複数組合わせて構成され、中央フレーム２に対して適宜の手法により取り付けられている。
【００２０】
このバッテリ装置２１は、図６に関して後述するように当該電動式自動二輪車の左右両側面に開口部を有すると共に、その後側にファンモータ２５および板状別部材からなるファン２６を有するダクト２４が接続されている。このファンモータ２５は、特に充電中に駆動され、これにより前記開口部からバッテリ装置２１内に空気が取り込まれ、前記ダクト２４の後端部より排出される。この空気の通過によりバッテリ装置２１が冷却される。
【００２１】
前記ヘッドパイプ１１の前部には、前記駆動モータを制御するコントローラ２２、および前記バッテリ装置２１に対して充電を行うための充電器２３が取り付けられている。これらのコントローラ２２および充電器２３は、図示された位置以外の位置（例えばシート１９の下方あるいは後方等）に取り付けることも可能である。
【００２２】
図６は図１７のＡ−Ａ断面図である。まず、中央フレーム２の所定位置にはウェルディングナット２Ｂが溶着されていて、該ナット２Ｂにボルト２Ａを螺合させることにより、ステップフロア５が中央フレーム２に固定されている。バッテリ装置２１は、ステップフロア５の下方部分に固定されたバッテリケース３１と、当該電動式自動二輪車の左右に位置するように前記バッテリケース３１内に固定された２組の組みバッテリ３０Ａおよび３０Ｂより構成されている。前記ステップフロア５は、組みバッテリ３０（３０Ａおよび３０Ｂ）の上方を覆う蓋としても機能している。
【００２３】
前記各組みバッテリ３０Ａおよび３０Ｂと、バッテリケース３１およびステップフロア５との間には、支持体３５および３６、並びにシール材として機能するスポンジ３７が設けられている。
【００２４】
当該電動式自動二輪車の左右両側面に位置する、前記バッテリケース３１とステップフロア５との間の接合部には、所定の開口部３３が形成されていて、前記ファンモータ２５（図１７）の駆動により該開口部３３から空気が流入し、組みバッテリ３０が冷却される。前記各組みバッテリ３０は、それぞれ１６個のセル４２を電気的に直列に接続することにより構成されている。
【００２５】
次に、当該電動式自動二輪車の左側に配置された組みバッテリ３０Ａの構成を詳細に説明する。
【００２６】
図７は組みバッテリ３０の上面図、図９は図７の正面図、図１０は図９の左側面の拡大図である。
【００２７】
まず、図１に示したように、各バッテリセル４２の互いに平行な一方の各側面４２Ｐ、４２Ｑ（以下、正面４２Ｐおよび背面４２Ｑと表現する）には、それぞれ上面４２Ｕから下面４２Ｔに向かって伸びたライン状のリブ４２Ａ、環状突起４２Ｄ、および該環状突起４２Ｄの内径とほぼ同一径の突起４２Ｃが形成されている。
【００２８】
また、各バッテリセル４２の互いに平行な他方の各側面（以下、単に側面４２Ｒ、４２Ｓと表現する）には、正面４２Ｐから背面４２Ｑに向かって伸びた３つのリブ４２Ｂが形成され、各リブ４２Ｂ間には突起４２Ｅが２つづつ形成されている。
【００２９】
さらに、バッテリセル４２の上面４２Ｕには、ネジ切りされた正負のターミナル電極１０５Ａ、１０６Ａおよび６つのタッピングスクリュー用ボス３００（以下、単にタッピングボスと表現する）が形成されている。６つのタッピングボス３００は、バッテリセル４２の上面で、その縦軸および横軸に対して対称的に配置されている。
【００３０】
バッテリセル４２の正面４２Ｐに形成される環状突起４２Ｄは、その背面４２Ｑに形成される突起４２Ｃに対応する位置に形成され、同様に、前記正面４２Ｐに形成される突起４２Ｃは、前記背面４２Ｑに形成される環状突起４２Ｄに対応する位置に形成されている。
【００３１】
このような構成を有するバッテリセル４２を縦方向（図１の矢印Ｄ方向）に４つ重ね合わせ、１つのセル正面の突起４２Ｃを隣接するセル背面の環状突起４２Ｄの内径部に嵌合させる。この重ね合わせにより隣接するバッテリセル４２の正面４２Ｐおよび背面４２Ｑに形成されたリブ４２Ａ同士が対向するので、図８に示したように隣接するセル４２間に空気通路９１が形成される。このとき、４つのバッテリセル４２の縦方向への位置決めは第１連結板４４により行われる。
【００３２】
第１連結板４４は、図１３〜図１５に示したように、その両端にフランジ４４Ｋを有する帯状部４４Ｊと、前記フランジ４４Ｋに設けられたボルト４４Ｌとにより構成されている。
【００３３】
前記帯状部４４Ｊの板厚は、前記突起４２Ｅ（図１）の突出高さのほぼ２倍であり、また該帯状部４４Ｊには、前記突起４２Ｅと嵌合できる穴部４４Ｅが穿設されている。そして、この穴部４４Ｅを各セル４２の側面に形成された突起４２Ｅに嵌合させることにより、バッテリセル４２を縦方向（図１の矢印Ｄ方向）に４つ重ね合わせる。
【００３４】
この後、４つのバッテリセル４２を上述のように重ね合わせたものを４組用意し、これらを横方向（図１の矢印Ｌ方向）に密接配列する。そして、その正面４２Ｐが露出した最底部の４つのバッテリセル４２、およびその背面４２Ｑが露出した最上部の４つのセル４２のそれぞれに、図１２に示した第２連結板４３を装着する。
【００３５】
この第２連結板４３には、横方向に密着されたセル４２の正面４２Ｐ又は背面４２Ｑに形成されたリブ４２Ａと同様のリブ４３Ａが形成されると共に、前記各セル４２の環状突起４２Ｄおよび突起４２Ｃと対応する位置には、突起４３Ｄおよび環状突起４３Ｃが形成されている。そして、前記装着は、第２連結板４３の突起４３Ｄおよび環状突起４３Ｃを、セル４２の環状突起４２Ｄおよび突起４２Ｃに嵌合させることにより行う。またこの際、第１連結板４４のフランジ４４Ｋを、第２連結板４３の開口部４３Ｇおよび切欠部４３Ｈより露出させる。
【００３６】
その後、上下それぞれに配置された一対の第２連結板４３に、図１１の第３連結板４８を装着する。第３連結板４８は、ベースフレーム４８Ｂおよび細長形状のアングル４８Ａとにより構成され、ベースフレーム４８Ｂの前記第１連結板４４のフランジ４４Ｋが対向する部分には、当該フランジ４４Ｋの形状に応じた開口部４８Ｇおよび切欠部４８Ｈが形成されている。
【００３７】
この第３連結板４８は第２連結板４３に横架し、第１連結板４４のボルト４４Ｌに、前記第３連結板４８のアングル４８Ａを介してナット４９を螺合することにより、第３連結板４８で２枚の第２連結板４３および１６個のセル４２を押さえ付け、それらを固定する。
【００３８】
１６個のバッテリセル４２を電気的に直列接続すべく、隣接するセル４２の各ターミナル電極１０５Ａおよび１０６Ａは電極プレート４７により相互に連結され（図１０参照）、ターミナル電極１０５Ａ、１０６Ａ、および電極プレート４７は繭を半分にした形状の繭型カバー８０によって覆われる。この繭型カバー８０は軟質の絶縁性樹脂（例えば、ＡＢＳやＰＶＣ）からなり、適宜の手段により容易に着脱可能な状態で各バッテリセル４２に固定される。
【００３９】
コネクタ４６Ａは、直列接続されたバッテリセル４２の、最終端の陽極および陰極に接続された給電用クリップ４６Ｓおよび任意の複数の電極プレート４７上に固定された温度センサ（図示せず）に接続されたソケット４６Ｔ（図９参照）を含む本体部４６１とベースプレート４６２とにより構成されている。なお、ソケット４６Ｔはコネクタ４６Ａと一体成型されるようにすることが望ましい。
【００４０】
本体部４６１とベースプレート４６２とは、Ｏリングなどのシール部材９０を介して液密に固定されている。コネクタ４６Ａは本体部４６１においてカプラ５０Ａ（図６参照）と液密に嵌合され、バッテリから車両本体への給電および温度情報の提供は当該コネクタ４６Ａ、カプラ５０Ａを介して行われる。
【００４１】
ベースプレート４６２と各バッテリセル４２の上面との間隙には、必要に応じてシリコン樹脂を充填し、ターミナル電極への浸水を防止する。
【００４２】
ベースプレート４６２には複数のネジ穴が開口されている。当該ネジ穴は適宜の複数のバッテリセル４２のタッピングボス３００と対向する位置に設けられ、コネクタ４６Ａの固定は、ベースプレート４６２をバッテリセル４２のタッピングボス３００にネジ止めすることにより行われる。・
図６に示された組みバッテリ３０Ｂも、前述の構成を有する組みバッテリ３０Ａとほぼ同様の構成を有しており、そのコネクタ４６Ｂはコネクタ４６Ａと対称型である。前記組みバッテリ３０Ａおよび組みバッテリ３０Ｂの出力線、すなわちカプラ５０Ａおよび５０Ｂより引き出されたリード線は、バッテリケース３１およびステップフロア５の内部あるいは外部でさらに直列に接続されていて、その陽極側および陰極側は、図１６に示されるように、充電器２３に接続されている。なお、符号２８は当該電動式自動二輪車のメインスイッチである。
【００４３】
図１６に示されるように、充電器２３はさらにファンモータ２５およびプラグ２７に接続されていて、プラグ２７を家庭用あるいは充電スタンド等に設置されているコンセントに接続して充電を行っているときにのみ、ファンモータ２５が駆動される。前記ファンモータ２５の駆動により、図６の開口部３３より空気がバッテリケース３１およびステップフロア５内に導入される。導入された空気は、空気通路９１および空気通路９２を通過し、そしてバッテリ装置２１後部に配置されたダクト２４（図１７）より排出される。
【００４４】
本実施例によれば、各バッテリセル４２同士を接続する電極プレート４７が、それぞれ独立的に容易に着脱可能な繭型カバー８０で覆われているので、バッテリセル交換時の電極プレート４７の取り外しが容易になり、バッテリの保守や修理が極めて容易になる。
【００４５】
また、本実施例によれば、各バッテリセルの正面に突起４２Ｅを設け、当該突起４２Ｅに第１連結板４４を係合させてこれらを固定するようにしたので、その位置決め、組み立てが容易になる。
【００４６】
さらに、本実施例によれば、バッテリセル４２の上面には、その縦軸および横軸に対して対称的にタッピングボス３００が形成されているので、コネクタ４６Ａの固定が容易に行えるようになる。
【００４７】
さらに、本実施例によれば、コネクタ４６Ａを形成する本体部４６１およびベースプレート４６２とがシール部材９０を介して組み合わされているので、コネクタ４６Ａ内部への雨水などの浸入が防止される。
【００４８】
以下、本発明の他の実施例であるバッテリセルの形状に関して説明する。なお、以下に示す各実施例では、図面を見やすくするために、上面に形成されるステッピングボス３００および側面に形成される突起４２Ｅの図示は省略してある。
【００４９】
図２は、本発明の第２実施例であるバッテリセルの正面図、図３は図２のＡ−Ａ線断面図である。
【００５０】
本実施例では、ライン状のリブ４２Ａが全て上面から下面に向かって伸びるようにした点に特徴がある
本実施例によれば、突起４２Ｃが環状突起４２Ｄの内径部に嵌合するように各バッテリセル４２を縦方向に重ね合わせれば、リブ４２Ａ同士が対向して隣接するバッテリセル４２間に空気通路が形成される。
【００５１】
図４は、本発明の第３実施例であるバッテリセルの正面図、図５は図４のＡ−Ａ線断面図である。
【００５２】
本実施例では、前記突起４２Ｃおよび環状突起４２Ｄの代わりに、あり溝７０Ｄとそれに結合するほぞ７０Ｃとを設け、これらをありつぎ（鳩尾つなぎ）するようにした点に特徴がある。
【００５３】
本実施例によれば、あり溝７０Ｄとほぞ７０Ｃとが嵌合するように各バッテリセル４２を縦方向に重ね合わせれば、リブ４２Ａ同士が対向して隣接するバッテリセル４２間に空気通路が形成される。
【００５４】
図１８は、本発明の第４実施例であるバッテリセルの正面図、図１９はその上面図である。
【００５５】
本実施例では、バッテリセルの正面に多数の筒状突起７１を一定の規則にしたがって配置し、バッテリセルを重ね合わせ時には、筒状突起７１同士が対向して、その間に空気通路が形成されるようにした点に特徴がある。
【００５６】
図２０は、本発明の第５実施例であるバッテリセルの正面図、図２１はその側面図である。
【００５７】
本実施例では、バッテリセルの正面に、その一方の側面から他方の側面に向かって伸びた複数のライン状リブ７２を設けた点に特徴がある。
【００５８】
本実施例によっても、バッテリセルを重ね合わせ時には、リブ７２同士が対向して、その間に空気通路が形成されるようになる。
【００５９】
図２２は、本発明の第６実施例であるバッテリセルの正面図、図２３はその上面図である。
【００６０】
本実施例は前記第２実施例の変形例であり、位置決め用の突起４２Ｃおよび環状突起４２Ｄを設けず、全面にリブ４２Ａを設けた点に特徴がある。本実施例によっても、バッテリセルを重ね合わせ時には、リブ４２Ａ同士が対向して、その間に空気通路が形成されるようになる。
【００６１】
図２４は、本発明の第７実施例であるバッテリセルの正面図、図２５はその側面図である。
【００６２】
本実施例では、リブ４２Ａを斜めに配置した点に特徴がある。本実施例によっても、バッテリセルを重ね合わせ時には、リブ４２Ａ同士が対向して、その間に空気通路が形成されるようになる。
【００６３】
なお、上記した各実施例ではバッテリセル本体にリブを設け、これらが対向するように重ね合わせて空気通路を形成するものとして説明したが、例えば図２６、２７に示した本発明の第８実施例のように、各バッテリセルを、多数のエアダクト通路７３を有する板状部材９９を介して重ね合わせるようにしても良い。板状部材９９は、アルミニウムのように放熱効率に優れ、かつ十分な強度を有する金属で形成することが望ましい。
【００６４】
このようにすれば、エアダクト７３内を冷却用エアーが流れてバッテリの冷却が可能になるばかりか、後述するようなバッテリセルの内圧上昇に伴う変形を抑制することもできるようになる。
【００６５】
ところで、上述したような密閉型の二次電池では、充放電におけるガス発生により内圧が変化し、これによりセルケースが変形して電池性能に劣化が生じる場合がある。そこで、以下に説明する本発明の第９、１０実施例では、セルケースの変形を防ぐための工夫が施されている。
【００６６】
図２８は本発明の第９実施例の構成を示した断面図であり、特に、同図(a) は横断面図、同図(b) は縦断面図である。
【００６７】
本実施例では、積層された電極板２０１の中央部に開口部２１０を形成し、当該開口部２１０を介して、セルケースの表面４２Ｐと背面４２Ｑとをネジで共締めするようにした点に特徴がある。
【００６８】
図において、セルケースの背面４２Ｑの内側には、タッピングボス２０３が形成されており、電極板２０１は、その開口部２１０にタッピングボス２０３が挿通されるように積層されてセルケース内に収容されている。
【００６９】
なお、タッピングボス２０３を電極板２０１の開口部２１０に挿通できるようにするためには、電極板２０１はその極面に対して垂直方向（図中、矢印Ｆ方向）にセルケース内に挿入されるようにすることが望ましい。
【００７０】
セルケースの表面４２Ｐおよび背面４２Ｑは、それぞれの端部および開口周囲に形成された合わせ溝２０５において液密に接着されている。セルケース表面４２Ｐの前記背面４２Ｑのタッピングボス２０３と対向する部分には開口が形成され、表面４２Ｐの開口部からネジ２０２を挿入して背面４２Ｑの前記タッピングボス２０３にネジ２０２を螺合することにより、セルケースの表面４２Ｐおよび背面４２Ｑは予定の間隙を保った状態で共締めされる。
【００７１】
本実施例によれば、セルケース表面４２Ｐと背面４２Ｑとの間隔が予定の厚みに規定されるので、セルケースの内圧変化に起因したセルケースの変形が防止できるようになる。
【００７２】
図２９は本発明の第１０実施例の構成を示した断面図であり、前記と同一の符号は同一または同等部分を表している。
【００７３】
本実施例では、電極板の中央部に開口部を２か所形成し、当該２か所においてセルケースの表面４２Ｐと背面４２Ｑとを共締めするようにした点に特徴がある。本実施例によっても前記と同様の効果が達成される。
【００７４】
【発明の効果】
上記したように、本発明によれば以下のような効果が達成される。
(1) 各バッテリセル４２同士を接続する電極プレート４７が、それぞれ独立的に着脱可能な繭型カバーで覆われているので、バッテリセル交換時の電極プレート４７の取り外しが容易になり、バッテリの保守や修理が極めて容易になる。
(2) 各バッテリセルの側面に突起４２Ｅを設け、当該突起４２Ｅに第１連結板４４を係合させてこれらを固定するようにしたので、その位置決め、組み立てが容易になる。
(3) バッテリセルの上面には、その縦軸および横軸に対称的にタッピングボス３００を形成したので、バッテリセル交換時においてもコネクタ４６Ａの固定が容易に行えるようになる。
(4) コネクタ４６Ａを形成する本体部４６１およびベースプレート４６２とがシール部材９０を介して組み合わされているので、コネクタ４６Ａ内部への雨水などの浸入が防止される。
(5) セルケースの表面４２Ｐと背面４２Ｑとを、予定の間隙を保った状態で相互にネジ止めするようにしたので、セルケースの内圧変化に起因したセルケースの変形が防止できるようになる。
【図面の簡単な説明】
【図１】  本発明の一実施例であるバッテリセルの斜視図である。
【図２】  本発明の第２実施例であるバッテリセルの正面図である。
【図３】  図２のＡ−Ａ断面図である。
【図４】  本発明の第３実施例であるバッテリセルの正面図である。
【図５】  図２のＡ−Ａ断面図である。
【図６】  図１７のＡ−Ａ断面図である。
【図７】  バッテリ群３０Ａの上面図である。
【図８】  図７の要部拡大図である。
【図９】  バッテリ群３０Ａの一部破断正面図である。
【図１０】  バッテリ群３０Ａの拡大側面図である。
【図１１】  第３連結板４８の平面図である。
【図１２】  第２連結板４３の平面図である。
【図１３】  第１連結板４４の平面図である。
【図１４】  第１連結板４４の側面図である。
【図１５】  第１連結板４４の側面図である。
【図１６】  バッテリ装置２１、充電器２３及びファンモータ２５の接続例を示す回路図である。
【図１７】  本発明が適用される電動式自動二輪車の側面図である。
【図１８】  本発明の第４実施例であるバッテリセルの正面図である。
【図１９】  図１８のバッテリセルの上面図である。
【図２０】  本発明の第５実施例であるバッテリセルの正面図である。
【図２１】  図２０のバッテリセルの側面図である。
【図２２】  本発明の第６実施例であるバッテリセルの正面図である。
【図２３】  図２２のバッテリセルの上面図である。
【図２４】  本発明の第７実施例であるバッテリセルの正面図である。
【図２５】  図２４のバッテリセルの上面図である。
【図２６】  本発明の第８実施例であるバッテリセルの正面図である。
【図２７】  図２６のバッテリセルの側面図である。
【図２８】  本発明の第９実施例であるバッテリセルの構成図である。
【図２９】  本発明の第１０実施例であるバッテリセルの構成図である。
【符号の説明】
３０Ａ、３０Ｂ…組みバッテリ、４２…バッテリセル、４３…第２連結板、４４…第１連結板、４６Ａ…コネクタ、４７…電極プレート、４８…第３連結板、８０…繭型カバー、９０…Ｏリング、９１…空気通路、９９…板状部材、２０１…電極板、２０３、３００…タッピングボス
【図１】
0003776134.tif 000004
【図２】
0003776134.tif 000005
【図３】
0003776134.tif 000006
【図４】
0003776134.tif 000007
【図５】
0003776134.tif 000008
【図６】
0003776134.tif 000009
【図７】
0003776134.tif 000010
【図８】
0003776134.tif 000011
【図９】
0003776134.tif 000012
【図１０】
0003776134.tif 000013
【図１１】
0003776134.tif 000014
【図１２】
0003776134.tif 000015
【図１３】
0003776134.tif 000016
【図１４】
0003776134.tif 000017
【図１５】
0003776134.tif 000018
【図１６】
0003776134.tif 000019
【図１７】
0003776134.tif 000020
【図１８】
0003776134.tif 000021
【図１９】
0003776134.tif 000022
【図２０】
0003776134.tif 000023
【図２１】
0003776134.tif 000024
【図２２】
0003776134.tif 000025
【図２３】
0003776134.tif 000026
【図２４】
0003776134.tif 000027
【図２５】
0003776134.tif 000028
【図２６】
0003776134.tif 000029
【図２７】
0003776134.tif 000030
【図２８】
0003776134.tif 000031
【図２９】
0003776134.tif 000032